(57)【要約】  物質サンプル中の検体を検出する装置は、サンプル採取デバイスから溶出した物質サンプルを受容するチャンバと、検体を検出するようになっている試験デバイスを具備する。装置アセンブリの少なくとも一部はサンプル調製時の方向と試験時の方向の間を移動可能である。
2009503552.tif 000002
【特許請求の範囲】
【請求項１】
物質サンプル中の検体を検出するための装置であって、
物質サンプルを含むサンプル採取デバイスを受容するように構成される開口部を備えるハウジングと、
前記サンプル採取デバイスからの溶出サンプルを受容するように構成されるチャンバと、
前記検体を検出するようになっている試験デバイスを備える試験チャンバと、
前記溶出サンプルを受容するように構成される前記チャンバを前記試験チャンバに接続する通路であって、前記装置が第１の向きにあるときに第１のチャンバから前記試験チャンバへの流体の流れを生起し、かつ前記装置が別の向きにあるときに前記試験チャンバへの流体の流れを制限するように方向付けられる通路と、
を具備する装置。
【請求項２】
物質サンプルを処理するための装置であって、
サンプル採取デバイスを受容するようになっている開口部を第１端部に備えるとともに、該開口部から離隔して配置されるチャンバを備える基部と、
前記チャンバ内の物質サンプル中の検体を試験するための、前記基部の前記第１端部にある前記開口部に連結可能な試験デバイスを備える取り外し可能なインジケータキャップと、
を具備する装置。
【請求項３】
前記試験デバイスが、試験結果の視覚的な指標を提供する比色センサを備える、請求項１又は２に記載の装置。
【請求項４】
前記比色センサがポリジアセチレン物質を備える、請求項３に記載の装置。
【請求項５】
前記溶出サンプルを受容するように構成される前記チャンバを前記試験デバイスに接続する前記通路が、少なくとも１つのマイクロ流体要素を備える、請求項１、３又は４に記載の装置。
【請求項６】
前記試験チャンバが吸収性物質を備える、請求項１、３、４又は５に記載の装置。
【請求項７】
溶出サンプルを受容するように構成される第１及び第２のチャンバと、第１及び第２の試験デバイスを有する第１及び第２の試験チャンバとをさらに具備し、該第１及び第２のチャンバの各々は、前記装置が前記第１の向きにあるときに該第１及び第２の試験チャンバへの流体の流れを生起し、かつ前記装置が前記他の向きにあるときに該第１及び第２の試験チャンバへの流体の流れを制限するように方向付けられる通路を介して、該第１及び第２の試験チャンバに接続される、請求項１〜６のいずれか１項に記載の装置。
【請求項８】
前記装置は、第１のアッセイが第１の検体を検出するようになっているとともに第２のアッセイが第２検体を検出するようになっている、少なくとも２つのアッセイを同時に実行できるように構成される、請求項１〜７のいずれか１項に記載の装置。
【請求項９】
前記検体に反応するようになっている試薬をさらに具備し、該試薬が前記装置に配置される、請求項１〜８のいずれか１項に記載の装置。
【請求項１０】
前記検体に反応するようになっている試薬をさらに具備し、該試薬が前記通路に配置される、請求項１に記載の装置。
【請求項１１】
サンプル採取デバイスと組み合わせられる、請求項１〜１０のいずれか１項に記載の装置であって、
末端に多孔質媒体を備える中空軸と、
前記中空軸の基端に連結可能で、物質サンプルを溶出する流体の流れを生起する流体リザーバと、
を具備する装置。
【請求項１２】
前記サンプル採取アセンブリが、絞りバルブ、シリンジ及びアコーディオンプリーツバルブからなる群から選択される流体ディスペンサーを有する、請求項１１に記載の装置。
【請求項１３】
前記底部に取り付けられるタイマーをさらに具備する、請求項２に記載の装置。
【請求項１４】
前記インジケータキャップは、吸収性物質をさらに備え、前記試験デバイスが、チャネルと該吸収性物質との間に配置される、請求項２に記載の装置。
【請求項１５】
前記通路に沿った前記試験チャンバへの流路が傾斜している、請求項１に記載の装置。
【請求項１６】
前記チャンバを備える前記ハウジングは、前記溶出サンプルを受容するように構成され、前記試験チャンバがほぼＵ形である、請求項１に記載の装置。
【請求項１７】
前記試験チャンバは、前記溶出サンプルを受容するように構成される前記チャンバと吸収性物質を有するチャンバとの間にある、請求項１に記載の装置。
【請求項１８】
物質サンプル中の検体を検出する方法であって、
サンプル採取デバイスから装置のチャンバへ物質サンプルを溶出させることと、
前記装置を９０°以上回転させるとともに、試験デバイスを用いて前記溶出したサンプルを試験することと、
を含む方法。
【請求項１９】
前記装置を約９０°回転させる、請求項１８に記載の方法。
【請求項２０】
前記装置を約１８０°回転させる、請求項１８に記載の方法。
【請求項２１】
物質サンプル中の検体を検出する方法であって、
装置の第１端部にあるサンプル採取デバイスから物質サンプルを溶出させて溶出サンプルを作成することと、
前記装置から前記サンプル採取デバイスを取り外すことと、
前記装置の前記第１端部にある開口部に試験デバイスを取り付けることと、
前記装置を操作して、前記溶出サンプルを前記試験デバイスに接触させることと、
を含む方法。
【請求項２２】
前記溶出サンプルを試験する前に、前記溶出サンプルと試薬とを混合させることをさらに含む、請求項１８〜２１のいずれか１項に記載の方法。
【請求項２３】
前記装置を操作するステップが、前記試験デバイス及び前記装置を約１８０°回転させることを含む、請求項２１に記載の方法。
【発明の詳細な説明】
【技術分野】
【０００１】
（関連出願の相互参照）
本出願は、本明細書に参照として組み込まれる２００５年８月２日に出願された米国仮出願番号６０／７０５,０８９の有益性を請求する。
【０００２】
（発明の分野）
医療産業及び外食産業等の多くの産業では、特定の生物学的な細菌又は他の有機体が存在しているか否かを判断するために、物質サンプルの試験が必要となる場合が多い。有機体などの存在は、問題の徴候と思われる。例えば、有機体が存在していることは、ヒトへの感染が存在していること、又は食物若しくは調理表面上に汚染物質が存在していることを示していると思われる。
【背景技術】
【０００３】
物質サンプルを試験するための既存の方法では、物質サンプルを集めるために、シャフトの末端部上に多孔質媒体を備えているスワブのようなサンプル採取デバイスを使用してよい。特に、スワブの多孔質媒体は、ヒトの鼻、耳、喉又は創傷部、若しくは調理表面のようなサンプル源と接して配置させ、サンプルを多孔質媒体に付着せてよい。その後、サンプル採取デバイスは、研究室等の異なる場所に移送してよく、この場合、収集されたサンプルは、対象となる特定の有機体が存在するか否かを分析するアッセイを実行するために、サンプル採取デバイスからスライド又は他の外部の実験装置に移送する。対象となる特定の有機体は、「検体」と呼んでよい。
【発明の開示】
【発明が解決しようとする課題】
【０００４】
時間の遅れに加えて、サンプル源からオフサイト位置までサンプル採取デバイスを移送することは、収集されたサンプルが汚染されるか、又は乾燥する原因となり、検体検出の信頼性を低下させると思われる。さらには、非自蔵型試験デバイス又は方法は、実験技術者が試験プロセス中に検体に曝されると思われるため、問題となり得る。本発明は、これら及び／又は他の問題に対応し、従来のデバイスを上回る有用性を提供する。
【課題を解決するための手段】
【０００５】
本出願は、ある１つの態様では、生物学的物質を処理する装置を開示する。代表的な実施形態では、前記装置は、溶出サンプルが入る構造のチャンバを具備する。前記サンプルは、チャンバとは空間的に離れた試験デバイスを用いて試験する。開示されているように、前記装置が第１の向きである場合にサンプルがチャンバに入る。装置の方向を変え、試験デバイスを用いて試験するためにチャンバから溶出サンプルを移動させる。
【０００６】
ある１つの態様では、物質サンプル中の検体を検出する装置が開示されている。前記装置は、前記物質サンプルが含まれているサンプル採取デバイスを受容するように構成される開口部を備えるハウジングと、前記サンプル採取デバイスからの溶出サンプルを受容するように構成されるチャンバと、前記検体を検出するようになっている試験デバイスを備える試験チャンバと、前記溶出サンプルを受容するように構成される前記チャンバと前記試験チャンバとを接続する通路であって、前記装置が第１の向きにあるときに第１チャンバから前記試験チャンバへの流体の流れを生起し、かつ前記装置が別の向きにあるときに前記試験チャンバへ流体の流れを制限するように方向付けられる通路とを具備する。
【０００７】
別の態様では、物質サンプルを処理する装置を開示する。前記装置は、サンプル採取デバイスを受容するようになっている開口部を第１端部に備えるとともに、該開口部とから離隔して配置されるチャンバを備える基部と、前記チャンバ中の物質サンプル中の検体を試験するための、前記基部の前記第１端部にある前記開口部に連結可能な試験デバイスを備える取り外し可能なインジケータキャップとを具備する。
【０００８】
別の態様では、物質サンプル中の検体を検出する方法が開示されている。前記方法には、サンプル採取デバイスから装置のチャンバへ物質サンプルを溶出させることと、装置を９０°以上回転させるとともに、試験デバイスを用いて溶出サンプルを試験することが含まれている。
【０００９】
別の態様では、物質サンプル中の検体を検出する方法が開示されている。前記方法には、装置の第１端部にあるサンプル採取デバイスから物質サンプルを溶出させて溶出サンプルを作成することと、前記装置からサンプル採取デバイスを取り外すことと、前記装置の前記第１端部にある開口部に試験デバイスを取り付けることと、前記装置を操作して、前記溶出サンプルを前記試験デバイスに接触させることが含まれる。
【００１０】
上記要約は、本発明の開示された各実施形態、又はあらゆる実施を記載するものではない。次の図面及び詳細な記載は、実例となる実施形態をより具体的に例示するものである。
【発明を実施するための最良の形態】
【００１１】
本発明は、物質サンプル中の検体（例えば、グラム陽性菌又はグラム陰性菌）を検出するための装置である。記載されている実施形態では、前記装置は、物質サンプルを受容するように構成されるチャンバと、物質サンプル中の検体を検出するために設計されている試験デバイスとを具備し、前記装置は、サンプル調製時の方向と試験時の方向の間を移動可能である。前記装置は、装置のオペレータ又は機械（又は電気機械）によって２つの方向の間を移動可能である。サンプル調製時の方向では、物質サンプルは、試験デバイスによって検出するために調製される。例えば、サンプルをサンプル採取デバイスから溶出させるか、及び／又は検出のために前処理してもよい。異なる検体は、検体検出前にサンプル又は検体の物理的性質又は化学的性質を変えるために異なる前処理を必要とする場合があり、関連する前処理を本発明に組み込むことができる。代表的な実施形態では、前処理としては、溶出サンプルと試薬を混合させることが挙げられ、前記試薬は溶出サンプル中に存在する検体と反応するようになっている。試験時の方向では、前記装置は、装置を流れる流体の方向を変えて、装置のチャンバ中に保持されている溶出サンプル及び／又は前処理したサンプルが試験デバイスと接触させるようにする。
【００１２】
装置をサンプル調製時の方向から試験時の方向に移動させることによって、装置を流れる流体の方向が変わり、結果として、装置の異なる部分が互いに流体接続する。前記チャンバは、サンプル調製時の方向では、チャンバに保持されている物質サンプル（例えばサンプル採取デバイスからの溶出サンプル）が試験デバイスと接触しない構造である。装置の方向を変えることにより、装置オペレータがサンプル調製段階の時間と、試験段階の開始時間とを制御することができる。特に、試験段階は、オペレータが装置をサンプル調製時の方向から試験時の方向に動かさなければ開始しない。サンプル調製段階及び試験段階について以下に詳細に記載する。
【００１３】
本発明の装置アセンブリは比較的単純なデバイスであり、サンプル源又はその付近の検体に関して物質サンプルを試験することを可能とする。本発明は、物質サンプルを研究室の外部へ移送せずに、作業者がサンプル源から物質サンプルを得て、その後、サンプル源又はその付近での検体の存在についてサンプルを試験することを可能とする。このことは、試験結果を得るまでの待ち時間が減り、物質サンプルが試験前に汚染されたり、乾燥してしまう危険性を低下させることに役立つ。さらに、物質サンプルが含まれているサンプル採取デバイスを本発明の装置に直接入れてもよい。これにより、危険な検体が含まれていると思われる物質サンプルに作業者が曝されることを提言できる。一部の実施形態では、装置は使い捨てであり、消毒されていなくても、装置を使用する度に清潔さを提供するのに役立つ。
【００１４】
一部の実施形態では、本発明の装置は、２つ以上の物質サンプルが受容され、各サンプル中の検体を同時に（又は本質的に同時に）検出するように構成される。複数のサンプルは同じサンプル源由来であっても異なるサンプル源由来であってもよく、各サンプル中の検体は、同様の検体であっても異なる検体であってもよい。例えば、ある１つの実施形態では、装置は、２つ以上の物質サンプルが受容され、第１のサンプル中のグラム陽性菌と、第２のサンプル中のグラム陰性菌とを同時に検出するように構成される。他の実施形態では、装置には１個の物質サンプルが受容され、１個の物質サンプル中の２つの異なる検体を例えば２つの異なる試験デバイスを用いて同時に（又は本質的に同時に）検出するように構成される。例えば、ある１つの実施形態では、装置には１個のサンプル採取デバイスが受容され、前記デバイスには物質サンプルが入っており、前記装置は、サンプル採取デバイスからサンプルを溶出させるように構成され、この場合、２個の試験デバイスが溶出したサンプル中のグラム陽性菌及びグラム陰性菌を同時に検出する。この態様では、本発明は、１個の装置でグラム陽性菌及びグラム陰性菌の試験を行う。
【００１５】
本発明は、代表的な実施形態を参照しながら説明しており、いずれの代表的な実施形態でも物質サンプル中の検体を検出するための間接的なアッセイを使用している。代表的な実施形態で用いられるアッセイプロセスの一般的な解釈は、本発明の装置の説明に役立つであろう。しかしながら、アッセイプロセスに関する以下の説明は、本発明を制限することは全く意図していない。むしろ、物質サンプル中の検体を検出するための本発明の装置及び方法は、直接又は間接にかかわらず、多くの異なる種類のアッセイに適用してよい。
【００１６】
代表的な実施形態に従って、サンプル採取デバイスを用いて物質サンプルを得る。分析の実行前に、物質サンプルを調製する。サンプル調製段階では、装置（又は装置の構成要素）はサンプル調製時の向きである。物質サンプルを第１の緩衝液を用いてサンプル採取デバイスから溶出させ（又は「放出させ」るか若しくは「洗浄し」）、溶出サンプルを作成する。以下では、「溶出サンプル」は、サンプル採取デバイス及び第１の緩衝液から取り出したサンプルの組み合わせのことをいう。適切な緩衝液の例としては、水、生理食塩水、ｐＨ緩衝液、又はサンプル採取デバイスから検体を溶出させる任意の他の溶液又は溶液の組み合わせが挙げられるが、これらに限らない。緩衝液はアッセイを妨害しないものが好ましい。
【００１７】
次いで、溶出サンプルを、この溶出サンプル中に存在する任意の検体と反応する（例えば結合する）ようになっている試薬と混合させる。直接アッセイを用いる場合、試薬は必要でないかもしれない。検体と試薬とを反応させ、十分な「反応時間」をとった後、装置をサンプル調製時の方向から試験時の方向に移動させる。試験時の方向では、溶出サンプルと試薬の混合物が試験デバイスと接触する。間接アッセイでは、試験デバイスは、検体自体よりも検体と反応するようになっている試薬の存在を検出する。具体的に言うと、試薬と検体とが反応し、任意の残存試薬（すなわち、検体と反応せずに、別個の生成物を形成させる試薬）が試験デバイスと反応する。例えば、任意の残存試薬（「第１の試薬」）は、試験デバイスに固定化されている第２の試薬と反応する。その後、試験デバイスは、試薬の存在及び／又は量の視覚的なしるしを提供する。試薬が試験デバイスで第２の試薬と反応する実施形態では、第２の試薬と結合する第１の試薬の量は色の変化によって示される。試験デバイスと接触する前に、検体及び試薬には反応するために十分な時間を与えることが好ましい。試験デバイスは、比色センサのような任意の好適なデバイスであってよい。
【００１８】
ある１つの実施形態では、試薬は試験デバイスの表面（もともとは青色）と反応し、試薬と試験デバイスとが反応するにつれて試験デバイスの色が変化する。大量の試薬が試験デバイスと反応する場合、試験デバイスは青色から赤色に変化してもよい。少量の試薬が試験デバイスと反応する場合、試験デバイスの色は変化せず、青色のままである。試験デバイスは、存在する試薬の量（典型的には物質サンプル中に存在する検体の量を示す）を提供するように構成されてもよい。例えば、試験デバイスは色が変化してよく、この場合、その色の強度又は色相は試薬の存在量によって変化する。代替的な実施形態では、試験デバイスは、その他の好適な方法によって試薬量を測定及び表示する。
【００１９】
典型的に、検体との反応後に大量の試薬が存在することは、物質サンプル中に大量の試薬が存在しないことを示すので、試薬の存在量は検体の存在量を示す。同様に、検体との反応後に少量の試薬が存在することは、物質サンプル中に大量の検体が存在することを示す。
【００２０】
代替的な実施形態では、捕捉媒体を用いて、検体のうち少なくとも一部を溶出サンプルから単離させた後に、検体と試験デバイスを接触させてもよい。多量に存在しなければ検出できない検体もあるため、検体を単離、及び、ある意味では濃縮することが望ましい場合もある。単離／濃縮は、正確な検出する可能性を増大させる可能性がある。
【００２１】
第１の代表的な実施形態では、装置中に検体を検出するための化学物質がほぼすべて含まれているので、装置は実質的に自蔵型である。これにより、装置の作業者は、事故による漏出又は別の事象などによって、試験プロセスで用いられる検体及び／又は流体に曝される可能性を低減される。第１の例示的な装置は、装置を約９０°横方向に傾けることによってサンプル調製時の方向から試験時の方向に移動させる。第１の例示的な装置は、物質サンプルを受容するチャンバと、検体を検出するようになっている試験デバイスを備える。チャンバ及び試験デバイスは、２種類の流路が形成されるようにほぼ並列な配置に構成される。サンプル調製時の方向にある第１の流路は、試験時の方向にある第２の流路とは分断されている。サンプル調製時の方向では、第２の流路にサンプルは流れず、ある意味、サンプルは試験デバイスと接触しないようになっている。第１の例示的な装置を図１に示す。
【００２２】
第２の代表的な実施形態では、装置は、基部を備えている装置アセンブリであり、サンプル採取アセンブリ及びインジケータキャップを交換可能に装着できるように構成される。基部は、溶出した物質サンプルを入れるためのチャンバを具備する。サンプル採取アセンブリは中空軸を具備し、この中空軸には末端と基端があり、多孔質媒体は末端に取り付けられ、流体リザーバは基端に取り付けられる。インジケータキャップは試験デバイスを具備し、この試験デバイスは検体を検出し、試験結果を提供するように構成される。サンプル調製時の方向では、サンプル採取アセンブリは基部に取り外し可能に取り付けられ、基部はサンプル採取アセンブリより下の位置にある（すなわち、基部は最も小さいｚ座標位置を有しており、図１では直交座標ｘ−ｙ−ｚが示されている）。「取り外し可能に接続」とは、サンプル採取アセンブリの基部への接続が永久的ではないことを示す。基部は、サンプル採取アセンブリを支持するように構成され、サンプル採取アセンブリの流体リザーバは基部中のチャンバと流体接続させるように構成される。
【００２３】
基部がサンプル採取アセンブリより下に配置されている場合、第１の流路はサンプル採取アセンブリから基部へと形成される（流路の方向は重力によって決まる）。サンプル調製段階中、サンプルはサンプル採取デバイスから溶出される。サンプル調製時の方向にしたままでサンプル採取アセンブリを基部から外し、インジケータキャップを基部に取り外し可能に取り付けられる。試験時の方向では、インジケータキャップ及び基部を約１８０°回転させると、インジケータキャップは基部の下に位置し、第２の流路は基部からインジケータキャップへと形成される。溶出した溶液及び／又は前処理した溶液を第２の流路に沿って移動させ、インジケータキャップ中の試験デバイスと接触させる。第２の代表的な実施形態について図４を参照しながらさらに詳細に説明する。
【００２４】
図１は、本発明の第１の代表的な実施形態である装置１０がサンプル調製時の向きである側面図であり、サンプル採取アセンブリ１２が装置１０に挿入されている。装置１０には、サンプル調製時の方向（図１に示す）と試験時の方向（図３Ａに示す）が含まれる。第１に、サンプル調製時の方向では、装置１０は、装置１０が置かれた概ね水平な面（例えば図１の表面）に対して概ね直立の向きである。第２に、試験時の方向では、装置１０の流路を変えるために装置１０を約９０°回転させる。試験時の方向を図３Ａに図示し、この図を参照しながら説明する。
【００２５】
装置はハウジング１４を具備し、ハウジング１４はサンプル採取アセンブリ１２を受容するように構成される。ハウジング１４は、チャンバ１６、試験デバイス２０、チャネル２１及び吸収性材料も更に具備し、チャンバ１６には溶出サンプル１８（サンプル採取アセンブリ１２から溶出した物質サンプル）が受容される。試験デバイス２０は検体を検出し、試験結果を出力するようになっている。チャネル２１は、チャンバ１６と試験デバイス２０とを流体接続する通路を形成する。吸収性物質２２は、試験デバイス２０に隣接して配置されている（この場合、試験デバイス２０は、チャネル２１と吸収性物質２２の間に配置されている）。吸収性物質２２は、ウィッキング作用を引き起こすことによって流体が試験デバイス２０を通過して流れるのを助けることを可能にする。
【００２６】
サンプル採取アセンブリ１２は、ハウジング１４の開口部１５に受容され、好ましくは、開口部１５と密着し、開口部１５がサンプル採取アセンブリ１２を実質的に覆うように密接に適合接触している。これにより、装置１０が自蔵型となる。サンプル採取アセンブリ１２は、サンプル採取デバイス２４と流体リザーバ２６を具備する。サンプル採取デバイス２４は、任意の適切なデバイス、例えばスワブであってもよい。適切なサンプル採取デバイスの例は、本出願と同日出願された「標本試験ユニット（SPECIMEN TEST UNIT）」という名称の米国特許第５,２６６,２６６号、及び「物質サンプルを集める装置及び方法（APPARATUS AND METHOD FOR COLLECTING A SAMPLE OF MATERIAL）」という名称の米国特許出願第６０／７０５,１４０号（代理人番号第６１０９７ＵＳ００２）に記載されている。
【００２７】
代表的な実施形態では、サンプル採取デバイス２４に中空軸２８が具備され、中空軸２８に基端２８Ａ及び末端２８Ｂがあり、多孔質媒体３０が末端２８Ｂに隣接する中空軸２８に取り付けられることが好ましい。サンプル採取デバイス２４の多孔質媒体３０をサンプル源（例えば、ヒトの鼻、耳、喉（又はヒトの創傷部又は対象となる他の身体領域又は食品調製表面）と接触させてもよく、サンプル源由来のサンプルを多孔質媒体３０に付着させてもよい。サンプル採取デバイス２４（サンプル採取アセンブリ１２の一部分である）を開口部１５に入れることによって、サンプルが装置１０内部に入る。
【００２８】
代表的な流体リザーバ２６には流体が保持されており（図１に示されていない）、この流体は緩衝液であってもよい。適切な流体リザーバの例としては、変形可能な絞りバルブ、シリンジ又はアコーディオンプリーツバルブが挙げられるが、これらに限らない。適切なシリンジの例としては、ベクトン・ディッキンソン社（Becton Dickinson）（ニュージャージー州フランクリン湖）から市販されているＢＤ  ＨｙＰａｋシリンジが挙げられる。図１では、流体リザーバ２６は、スナップバルブ３２を備えた変形可能な絞りバルブであるように示されている（図はスナップバルブ破壊時）。アッセイに組み込まれる緩衝液の種類は、装置１０が検出するように構成される検体を含む多くの因子に依存する。流体リザーバ２６は、中空軸２８の基端２８Ａと選択的に流体接続するように配置されている。「選択的に流体接続」は、バルブ、（例えばシリンジの）プランジャ、又は流体リザーバ２６に入った流体をサンプル採取デバイス２４の中空軸２８に入れるために装置作業者によって行われる他の手段を示す。サンプル採取デバイス２４の中空軸２８に流体を放出させると、多孔質媒体３０に付着したサンプルが溶出され、溶出サンプルが得られる。
【００２９】
装置１０がサンプル調製時の向きであるとき（図１）、検出用の物質サンプルが調製される。本発明の代表的な実施形態によれば、装置１０をサンプル調製時の向きでサンプルを装置１０に入れる。具体的に言うと、多孔質媒体３０を用いてサンプルを集め、この多孔質媒体３０を備えるサンプル採取デバイス２４をハウジング１４の開口部１５に入れる。次いで、流体リザーバ２６中に保持されていた流体を放出することによって、サンプル採取デバイス２４の多孔質媒体３０からサンプルを溶出させる。得られた溶出サンプル１８（図１にチャンバ１６に保持されている状態を示す）は、装置１０がサンプル調製時の向きであるときに形成される第１の流路に沿って装置を流れる。第１の流路は、サンプル採取デバイス２４からチャンバ１６に向かって形成される。そのため、サンプル採取デバイス２４及びチャンバ２６は、サンプル調製時の方向では流体接続している。
【００３０】
第１の代表的な実施形態では、溶出サンプル１８中に存在する任意の検体は、検体と反応するようになっている試薬と接触する位置に置かれる。試薬は、好ましくは、装置１０の保管中に試薬を安定的に保つために脱水されている。代表的な実施形態では、脱水された試薬がチャンバ１６内に配置されており、チャンバ１６中で更新される。チャンバ１６中で脱水された試薬と溶出サンプル１８が接触すると、溶出したサンプルは試薬を再活性化するために更新される。試薬及び溶出サンプル中に存在する検体（存在する場合）は、チャンバ１６で反応する。作業者は、装置１０を攪拌することによって、例えば装置１０を振り混ぜることによって、又はチャンバ１６の内容物をボルテックス混合することによって反応プロセスを促進させるか、又はプロセスの進行を助ける。
【００３１】
代替的な実施形態では、脱水された試薬は、装置内の任意の適した場所に配置してもよい。例えば、脱水された試薬は、チャンバ１６の上流のハウジング１４に（すなわち、チャンバ１６より前にある第１の流路に沿って）配置してもよい。あるいは、試薬は、装置１０の外側で更新され、サンプル採取デバイス２４の中空軸２８を通って装置１０に注入させてもよい。
【００３２】
図２は、作業者が混合プロセスを開始するまでは流体４２と試薬４４が分断されている双対のチャンバアセンブリ４０を示している。双対チャンバアセンブリ４０は、サンプル採取デバイス２４から物質サンプルを溶出させて流体２６を得るための代替的な実施形態を提供する。図示したように、双対チャンバアセンブリ４０は、流体４２が保持されているシリンジ４６と、試薬区画４８を具備する。図中のアダプタ５０は、試薬区画４８及びシリンジ４６に取り付けられて試薬区画４８とシリンジ４６を流体接続させる。シリンジ４６はプランジャ部材５２を具備する。シリンジ４６のプランジャ部材５２を押すと、流体４２がシリンジ４６から試薬区画４８へと流れる。次いで、試薬区画４８を攪拌し、脱水した試薬４４を溶解させる。脱水した試薬４４を流体４２に溶解させた後、プランジャ５２によって作動する減圧作用によって試薬区画４８の内容物をシリンジ４６に抜き取りできる。その後、試薬区画４８及びアダプタ５０をシリンジ４６から取り外し、注射器４６の内容物（すなわち試薬及び流体溶液）をサンプル採取デバイス２４の中空軸２８に入れる。
【００３３】
概して、試薬及び検体の反応位置は試薬が配置されている場所に依存する。しかし、装置１０がサンプル調製時の向きであるときに検体が試薬と反応することが好ましい。上に述べたように、間接アッセイではこの試薬が試験デバイスと反応するからである。
【００３４】
試薬と溶出サンプル１８中に存在する任意の検体が反応するのに十分な時間が経過した後、装置１０をサンプル調製時の方向（図１）から試験時の方向（図３ａ）に動かす。図３ａは、第１の代表的な実施形態である装置１０を試験時の方向に向けた側面図である。装置１０をサンプル調製時の方向から試験時の方向へと約９０°回転させる（図１及び図３に直交座標ｘ−ｚによって参照点が記載されている）。
【００３５】
装置１０の試験時の方向では、チャンバ１６、チャネル２１及び試験デバイス２０は、異なるｚ座標位置を有するように構成されており、チャンバ１６は最大のｚ座標位置を有し、試験デバイスは最小のｚ座標位置を有する。チャンバ１６から試験デバイス２０まで段階的に下方に向かって傾斜しているため、第２の流路はチャンバ１６から試験デバイス２０に向かって形成される。代表的な実施形態では、溶出サンプル１８は、重力によってチャンバ１６から試験デバイス２０へと流れる。上述のように、吸収性物質２２は試験デバイス２０に流体が流れやすくするのに役立つ。代替的な実施形態では、溶出サンプル１８をチャンバ１６から試験デバイス２０に流れやすくするための他の手段を使用する。
【００３６】
装置１０を試験時の方向１０に移動させた後、溶出サンプル１８は第２の流路に沿ってチャンバ１６からチャネル２１を通って流れ、試験デバイス２０と接触する。第１の代表的な実施形態では、チャネル２１は、チャンバ１６から試験デバイス２０への流れを制御するためのマイクロ流体要素を具備する。試験デバイス２０では、流体中の検体又は試薬が試験デバイス２０と反応するために、流速が特定の速度以下である必要がある。代表的な実施形態では、間接アッセイを用いており、流体中の試薬が試験デバイス２０と反応する。複数のマイクロ流体要素は、試験デバイス２０への流量を調節するのに役立つことができる。
【００３７】
任意の残存試薬（すなわち検体と反応しなかった試薬）が試験デバイス２０と反応するのに十分な時間が経過した後、作業者（又は機械）がウィンドウ２３から試験デバイス２０を観察し、試験結果を読み取る。反応時間は、検体及び／又は試薬の種類を含む多くの因子に依存する。あるいは、ウィンドウ２３は装置１０の任意の適した位置にあってもよい。もちろん、ウィンドウ２３は、試験デバイス２０をウィンドウ２３から観察するために、試験デバイス２０付近にある必要がある。
【００３８】
試験デバイス２０では、サンプル採取デバイス２４で集めた物質サンプル中に検体が存在するか否かを視覚的に判断するしるしを与え、一部の実施形態では、試験結果は検体の量を示す。第１の代表的な実施形態では、試験デバイス２０は比色センサであり、例えば、共に「ジアセチレン材料で構成された比色センサ（COLORIMETRIC SENSORS CONSTRUCTED OF DIACETYLENE MATERIALS）」という名称の米国特許出願第２００４／０１３２２１７Ａ１号及び米国特許出願第６０／６３６,９９３号（２００４年１２月１７日出願）に記載されているようにポリジアセチレン材が含まれていてもよい。
【００３９】
代表的な実施形態では、試験デバイス２０の色はカラーコーディングスキーム（color-coding scheme）に対応している。試験デバイス２０は、検体が物質サンプル中に存在するか否かに依存して色が変化するか、又は変化しない。ユーザーは、この色変化をウィンドウ２３から見ることができる。色変化は、存在する検体の量を示すために等級に分けてもよい。検体の量は、例えば、「低レベル」「中レベル」又は「高レベル」の指標に対応する色のグラデーションによって示してよい。一部の実施形態では、装置１０はカラーコーディングスキームを示すラベルを具備し、作業者はウィンドウ２３から得られた色とラベルの色を比較する。他の実施形態では、色変化はヒトの目で検出することができない。この場合には、機械又は電子読取装置（例えばスペクトロメーター）を使用して色変化を検出する。代替的な実施形態では、他の試験デバイスを使用してもよい。例えば、装置１０には、その試験結果のしるしがｐＨ変化又は分析される媒体の特性における他のいくつかの変化によって特徴付けられる試験デバイスを組み込んでもよい。
【００４０】
図１及び図３ａには１個だけのサンプル採取アセンブリを受容するように構成される第１の例示的な装置１０が示されているが、装置１０は、２個以上のサンプル採取アセンブリを受容するように改変してもよい。図３ｂは、装置の代替の実施形態の模式図を示している。上述のように、装置１００は、第１のサンプル採取アセンブリ１０２と第２のサンプル採取アセンブリ１０４とを受容するように構成される。装置１００は第１のチャンバ１０６と第２のチャンバ１０８を具備し、これらのチャンバは互いに分割されている。第１のチャンバ１０６は第１のサンプル採取アセンブリ１０２からの溶出サンプル１１０を受容するように構成され、第２のチャンバ１０８は第２のサンプル採取アセンブリ１０４からの溶出サンプル１１２を受容するように構成される。１つ以上のチャンバ１０６及び１０８には、サンプル採取アセンブリ１０２及び１０４それぞれから溶出したサンプルが別個に入る必要がある。装置１００は、チャンバ１０６及び１０８と流体接続している別個のチャネル及び試験デバイス（図示なし）をそれぞれ具備し、それぞれのチャネル及び試験デバイスは、図１に示したチャネル２１及び試験デバイス２０と同様のものであってよい。試験デバイスはそれぞれ異なる検体を検出するようになっていてもよい。装置１００は、物質サンプル中の２個以上の検体を検出するために使用してもよく、検出は本質的に同時であってもよい。
【００４１】
図４は、装置６０で示されている本発明の第２の代表的な実施形態である。装置アセンブリ６０は、基部６２とインジケータキャップ６６を具備する。基部６２は、両端に第１の末端部６２Ａと第２の末端部６２Ｂを具備する。基部６２の第１の末端部６２Ａは、インジケータキャップ６６及びサンプル採取アセンブリ６４が交換可能に装着される構造である。基部６２の第２の末端部６２Ｂは底部表面６３を具備し、底部表面６３は基部６２が置かれている略水平表面に対して概ね直立の方向に基部６２を支持するように構成される。タイマー６１が基部６２に取り付けられてもよい。タイマー６１は装置作業者が試薬と検体の反応時間を計るのに役立ち、これについては以下に記載する。代替的な実施形態では、装置アセンブリ６０はタイマーを具備しない。これらの例では、作業者は自分でタイマーを用意してもよい。
【００４２】
上述のように、サンプル採取アセンブリ６４はサンプル採取デバイス６８を具備し、サンプル採取デバイス６８は任意の適したデバイス又はアセンブリであってもよい。図示した実施形態では、サンプル採取デバイス６８は図１及び図３ａのサンプル採取デバイス２４と同様のものである。具体的に言うと、サンプル採取デバイス６８は、中空軸７０を備えているスワブであり、中空軸７０には基端７０Ａと末端７０Ｂがあり、多孔質媒体７２は中空軸７０の末端７０Ｂに取付けらている。多孔質媒体７２は、中空軸７０の末端７０Ｂに配置されており、末端７０Ｂには、流体７６が中空軸７０の第２の末端７０Ｂを通って多孔質媒体７２に接触するようにする開口部が少なくとも１個具備される。
【００４３】
サンプル採取アセンブリ６４は流体リザーバ７４を具備する。流体リザーバ７４はサンプル採取デバイス６８の中空軸７０の第１の末端部７０Ａと選択的に流体接続する位置に配置されている。流体リザーバ７４には流体７６が保持されており、流体７６が流体リザーバ７４から放出された後、サンプル採取デバイス６８の多孔質媒体７２から物質サンプルが溶出される。
【００４４】
図４では、流体リザーバ７４はシリンジであり、流体７６は流体リザーバ７４に保持されており、流体チザーバ７４から流体７６を放出するためにプランジャ部材７４Ａは押し下げてよい。図５は、図４の装置の代替的な実施形態であるサンプル採取アセンブリ８０を示しており、流体リザーバ７４が流体リザーバ７５と交換されている。図５に示した代替的な実施形態では、流体リザーバ７５は変形可能な絞りバルブであり、この絞りバルブは、流体リザーバ７５から流れる流体７８を制御するための破壊型の先端７７を具備する。図５に示したように、サンプル採取アセンブリ８０は基部６２の開口部８２に完全には入り込んでいない。
【００４５】
他の代替的な実施形態では、流体リザーバ７４はアコーディオンプリーツバルブであるか、又は変形可能な絞りバルブよりも大きな圧力で選択的に流体を放出可能な別の種類のリザーバである。サンプル採取デバイス６８の多孔質媒体７２から多くの物質サンプルを溶出させるために大きな圧力をかけることが望ましい場合がある。特定の検体は感受性が高い場合があり、試験デバイスによって検出するために多くの量の検体が必要である場合がある。この場合には、シリンジ又は多くの圧力をかけて流体を放出可能な他のデバイスを使用して流体７６を放出させ、多孔質媒体７２から物質サンプルを溶出させることが好ましい。
【００４６】
再び図４を参照すると、インジケータキャップ６６は突起部６６Ａを具備し、突起部６６Ａは、基部６２の第１の末端６２Ａに配置されている開口部８２とぴったりかみ合う構造になっており、これによりインジケータキャップ６６を基部６２に取り付けることができる。もちろん、インジケータキャップ６６は、サンプル採取アセンブリ６４が基部６２から取り外されるまでは基部６２に取り付けられない。インジケータキャップ６６の底部（又は「下面」）６６Ｂは、インジケータキャップ６６が置かれている概ね水平な面に対して概ね直立の方向に基部６２を配置するように構成される。この様式では、インジケータキャップ６６及び基部６２の底面６３は、ともに概ね水平な面に対して基部６２を支持する同様の機能を共有している。
【００４７】
インジケータキャップ６６は、図１及び図３ａのチャネル２１及び試験デバイス２０と同様のチャネルと試験デバイス（図示なし）を具備する。試験デバイスは、ウィンドウ８４（インジケータキャップ６６の下面６６Ｂの図である図９に示されている）を介して試験結果の視覚的なしるしを提供するのが好ましい。代表的な実施形態では、検体は間接的アッセイによって検出され、試験デバイスは比色センサである。前記比色センサは、図１及び図３Ａの試験デバイス２０を参照しながら上述した比色センサと同様であってよい。チャネル２１及び試験デバイス２０が装置１０’の下方に傾斜した位置に配置されているのではなく、インジケータキャップ６６はウィッキング作用を引き起こす吸収性物質を具備し試験デバイスへ流体が流れるのを促進する。これについては図８を参照しながら以下で説明する。
【００４８】
本発明は、物質サンプル中の検体を検出するために使用してもよい。試験用物質サンプルのサンプル調製段階中、基部６２がサンプル調製時の向きであるとき（図４に示されている）、物質サンプルはサンプル採取デバイス６８から溶出される。物質サンプルをサンプル採取デバイス６８を用いて集める。中空軸７０を操作して多孔質媒体７２とサンプル源とを接触させ、物質サンプルを多孔質媒体７２に付着させる。サンプルを集めた後、サンプル採取アセンブリ６４を基部６２の開口部８２（図５に示されている）に入れる。図４に示されているプランジャ部材７４を押すか、又は先端部７７を破壊し、流体リザーバ７４又は７５から流体７６又は７８を放出させ、サンプル採取デバイス６８の中空軸７０に流体７６又は７８を入れる。流体７６が中空軸７０を通って流れ、サンプル採取デバイス６８の多孔質媒体７２と接触する。流体７６が多孔質媒体７２を通って移動するにつれて、多孔質媒体７２から物質サンプルの少なくとも一部が溶出され、「溶出サンプル８６」が得られる（図６に示されている）。
【００４９】
溶出サンプル８６は、サンプル調製時の方向で基部６２によって形成される第１の流路で基部６２を通って移動する。図６に示したように、溶出サンプル８６’は基部６２（流体チャンバを形成している）に保持されている。上述のように、基部６２をサンプル調製時の方向にして溶出サンプル８６を試薬と混合し、図７に示されている溶出サンプル８６’を得る。試薬及び溶出サンプル８６は最短時間で反応させる必要がある場合がある。反応時間はタイマー６１でモニタリングしてよく、タイマー６１は、あらかじめ設定してあるカウントダウンタイマーを具備してもよいし、又は作業者がタイマーを設定してもよい。第１の代表的な実施形態では、作業者が試薬と溶出サンプル８６を攪拌し、試薬と検体を反応を促進する。手で攪拌してもよいし、機械（例えばボルテックスミキサー）で攪拌してもよい。
【００５０】
溶出サンプル８６’を基部６２に保持させた後、サンプル採取デバイス６８を基部６２の開口部８２から取り外し、インジケータキャップ６６を基部６２の開口部８２に取り付けできる。図７は、基部６２（サンプル調製時の方向のままである）及びインジケータキャップ６６を示しており、インジケータキャップ６６の突起部６６Ａは基部６２の開口部８２と頭合せされる。
【００５１】
図７〜８に示したように、インジケータキャップ６６の突起部６６Ａは開口部８２にはめ込むように構成される。インジケータキャップ６６は基部６２に取り付けられ、基部６２をサンプル調製時の方向から試験時の方向（図８に示す）に移動させる。具体的に言うと、基部６２を約１８０°回転させると、基部６２の第２の末端６２Ｂは第１の末端６２Ａよりも大きなＺ座標位置を有する（図７及び図８の直交ｘ−ｚ座標を参照）。試験時の方向では、インジケータキャップ６６は基部６２を支持する。サンプル調製時の方向では、基部６２に配置されている溶出サンプル８６’はインジケータキャップ６６と接触するとは考えにくく、そのため、基部６２が試験時の向きにあるまでは典型的には試験段階は開始できない。装置作業者が基部６２をサンプル調製時の方向から試験時の方向に手動で動かすため、本発明は試験段階を開始する時を作業者が制御することができる。
【００５２】
基部６２を試験時の方向に動かした後、溶出サンプル８６’はインジケータキャップ６６のチャネル（図８には示されていない）を通って移動し始め、チャネルは、流体が試験デバイスへと流れる流路を形成する（図８には示されていない）。試験デバイスをチャネルと吸収性物質の間に配置し、吸収性物質（図示なし）はウィッキング作用によって試験デバイスに流体の流れが引き起こされるのに役立つ。
【００５３】
図９は、インジケータキャップ６６の下面６６Ｂを示しており、下面６６Ｂは、ウィンドウ８４とカラーコーディング図８８を具備する。溶出流体８６’がインジケータキャップ６６に配置されている試験デバイスを流れ、デバイスと反応した後、ユーザーはウィンドウ８４から試験結果を観察することができる。図３Ａのウィンドウ２３と同様に、比色センサ（又は他の試験デバイス）をウィンドウ８４を通して見ることができる。次いで、作業者は、ウィンドウ８４に現れた色とカラーコーディング図８８を比較して試験結果を解釈することができる。カラーコーディング図８８のそれぞれの円は異なる色であるか、又は色相の強さが異なっており、それぞれの色又は色相は異なる試験結果をあらわす。このように、作業者は、ウィンドウ８４に現れた色と最も近いカラーコーディング図８８の円を選択し、試験結果を判定することができる。別の試験デバイス（例えば記号又はｐＨを出力するデバイス）を使用する場合、カラーコーディング図８８は、それぞれ記号、ｐＨ又は他のしるしを示すように改変してもよい。
【００５４】
インジケータキャップ６６の下面６６Ｂ、ウィンドウ８４及びカラーコーディング図８８は図８に円で示されているが、インジケータキャップ６６、ウィンドウ８４及びカラーコーディング図８８は任意の適した形状であってもよい。さらに、代替的な実施形態では、ウィンドウ８４及び／又はカラーコーディング図８８はインジケータキャップ６６又は基部６２の別の適した位置にあってもよい。
【００５５】
図１及び図３ａの第１の例示的な装置１０では、装置アセンブリ６０は、一度に２個以上の物質サンプルを試験し、および／または一度に２個以上の検体を検出できるように改変してよい。
【００５６】
好ましい実施形態を参照しながら本発明を説明してきたが、本発明の精神及び範囲から逸脱しない形態及び詳細の変更を行えることが、当業者であれば理解できるであろう。
【００５７】
本明細書中に引用される特許、特許文献、及び刊行物の完全な開示は、それぞれが個々に組み込まれたかのように、その全体が参考として組み込まれる。本発明の範囲及び趣旨を逸脱しない本発明の様々な変更や改変は、当分野の技術者には明らかとなるであろう。本発明は、本明細書で述べる代表的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。
【００５８】
以下に列記する図面を参照しながら本発明をさらに説明するが、いくつもの図にわたり、同じ構造体は同じ数字によって示してある。
【図面の簡単な説明】
【００５９】
【図１】本発明の第１の代表的な実施形態である装置であって、前期装置にはサンプル採取アセンブリが挿入されている装置がサンプル調製時の向きである側面図。
【図２】図１に示した流体リザーバの代替的な実施形態の側面図。
【図３ａ】図１の装置を試験時の方向に向けた側面図。
【図３ｂ】２個のサンプル採取アセンブリを受容するように構成される装置の模式図。
【図４】装置は、サンプル採取アセンブリ（基部に入る）及びインジケータキャップを交換可能に受容するように攻勢される基部を備えているアセンブリである装置である、本発明の装置の第２の代表的な実施形態の側面図。
【図５】図４に示した注射器状の流体リザーバを変形可能な絞りバルブに交換した図４の装置の側面図。
【図６】流体リザーバに保持されていた流体を放出させ、溶出サンプルを生成させ、前記溶出サンプルを基部に保持させた状態の図４の装置の側面図。
【図７】サンプル採取アセンブリを基部の開口部から取り外し、基部の開口部とはめ込みするようにインジケータキャップが頭合せされた図６の装置の側面図。
【図８】インジケータキャップが基部の開口部に完全に入り込んでおり、基部が試験時の向きである図７の装置の側面図。
【図９】図４、７及び８のインジケータキャップの下側の図であり、ウィンドウ及びカラーコーディング図が下面に配置されている、図４、７及び８のインジケータキャップの下側の図。
【図１】
2009503552.tif 000003
【図２】
2009503552.tif 000004
【図３ａ】
2009503552.tif 000005
【図３ｂ】
2009503552.tif 000006
【図４】
2009503552.tif 000007
【図５】
2009503552.tif 000008
【図６】
2009503552.tif 000009
【図７】
2009503552.tif 000010
【図８】
2009503552.tif 000011
【図９】
2009503552.tif 000012
【国際調査報告】
2009503552.tif 000013
2009503552.tif 000014
2009503552.tif 000015
2009503552.tif 000016
2009503552.tif 000017